【手続補正書】
【提出日】平成16年10月28日(2004.10.28)
【手続補正１】
【補正対象書類名】明細書
【補正対象項目名】００１７
【補正方法】変更
【補正の内容】
【００１７】
つまり電流入力方式を適用した発光装置では、画素に信号電流を入力する駆動回路を構成するトランジスタの特性バラツキの影響を抑制する必要がある。すなわち画素及び駆動回路の両方を構成するの両方を構成するトランジスタの特性バラツキの影響を抑制する必要がある。すなわち、ポリシリコントランジスタはバラツキが大きいため、正確な信号電流を生成することが難しく、表示が縦スジだらけになってしまう。
【手続補正２】
【補正対象書類名】図面
【補正対象項目名】図９
【補正方法】変更
【補正の内容】
【図９】
2003255880.tif 000001
【手続補正３】
【補正対象書類名】明細書
【補正対象項目名】特許請求の範囲
【補正方法】変更
【補正の内容】
【特許請求の範囲】
【請求項１】
ｍ本の信号線Ｓ1、Ｓ2、・・・、Ｓmと、
ｉ個の電流源Ｃ1、Ｃ2、・・・、Ｃiとを有する電流源回路と、
ｎ個の切り換えユニットＵ1、Ｕ2、・・・、Ｕnを含む切り換え手段とを有する半導体集積回路であって、
前記ｍ本の信号線のいずれか一つは、前記ｎ個の切り換えユニットのいずれか一つを介して、前記ｉ個の電流源のいずれかと接続され、
前記ｎ個の切り換えユニットは前記接続された電流源のうち一つを選択する機能を有することを特徴とする半導体集積回路。
【請求項２】
ｍ本の信号線Ｓ1、Ｓ2、・・・、Ｓmと、
ｉ個の電流源Ｃ1、Ｃ2、・・・、Ｃiとを有する電流源回路と、
ｎ個の切り換えユニットＵ1、Ｕ2、・・・、Ｕnを含む切り換え手段とを有する半導体集積回路であって、
前記ｎ個の切り換えユニットはそれぞれ前記ｉ個の電流源のうちｊ個の電流源と接続され、
Ｍ番目の前記信号線ＳMはＮ番目の前記切り換えユニットＵNと接続され、前記切り換えユニットＵNは関数Ｆk（ｘ）（ｋ＝１〜ｊ、ｘ＝１〜ｎ）を満たすＦ1（Ｎ）番目の電流源、Ｆ2（Ｎ）番目の電流源、Ｆ3（Ｎ）番目の電流源、・・・、Ｆj（Ｎ）番目の電流源と接続され、
前記切り換えユニットは前記接続された電流源のうち一つを選択する機能を有することを特徴とする半導体集積回路。
【請求項３】
ｍ本の信号線Ｓ1、Ｓ2、・・・、Ｓmと、
ｉ個の電流源Ｃ1、Ｃ2、・・・、Ｃiとを有する電流源回路と、
ｎ個の切り換えユニットＵ1、Ｕ2、・・・、Ｕnを含む切り換え手段とを有する半導体集積回路であって、
前記ｎ個の切り換えユニットはそれぞれ前記ｉ個の電流源のうちｊ個の電流源と接続され、
Ｍ番目の前記信号線ＳMはＮ番目の前記切り換えユニットＵNと接続され、前記切り換えユニットＵNは関数Ｆk（ｘ）（ｋ＝１〜ｊ、ｘ＝１〜ｎ）を満たすＦ1（Ｎ）番目の電流源、Ｆ2（Ｎ）番目の電流源、Ｆ3（Ｎ）番目の電流源、・・・、Ｆj（Ｎ）番目の電流源と接続され、
（Ｍ−１）番目の前記信号線ＳM-1は（Ｎ−１）番目の前記切り換えユニットＵN-1と接続され、前記切り換えユニットＵN-1は前記関数を満たすＦ1（Ｎ−１）番目の電流源、Ｆ2（Ｎ−１）番目の電流源、Ｆ3（Ｎ−１）番目の電流源、・・・、Ｆj（Ｎ−１）番目の電流源と接続され、
前記切り換えユニットは前記接続された電流源のうち一つを選択する機能を有することを特徴とする半導体集積回路。
【請求項４】
請求項１乃至３のいずれか一において、前記半導体集積回路は第１のラッチ回路と、前記第１のラッチ回路に接続された第２のラッチ回路と、前記第２のラッチ回路に接続されたシフトレジスタとを有することを特徴とする半導体集積回路。
【請求項５】
請求項２乃至４のいずれか一において、ｉ＝３であるとき、前記電流源はＦ１（Ｎ）＝Ｎ＋ａ、Ｆ２（Ｎ）＝Ｎ＋ｂ、Ｆ３（Ｎ）＝Ｎ＋ｃ、（但しａ、ｂ、ｃは整数でありかつａ≠ｂ≠ｃ）を満たすように設定されることを特徴とする半導体集積回路。
【請求項６】
請求項５において、ａ＝−１、ｂ＝０、ｃ＝１を満たすことを特徴とする半導体集積回路。
【請求項７】
請求項２乃至４のいずれか一において、ｉ＝５であるとき、前記電流源はＦ１（Ｎ）＝Ｎ＋ａ、Ｆ２（Ｎ）＝Ｎ＋ｂ、Ｆ３（Ｎ）＝Ｎ＋ｃ、Ｆ４（Ｎ）＝Ｎ＋ｄ、Ｆ５（Ｎ）＝Ｎ＋ｅ、（但しａ、ｂ、ｃ、ｄ、ｅは整数でありかつａ≠ｂ≠ｃ≠ｄ≠ｅ）を満たすように設定されることを特徴とする半導体集積回路。
【請求項８】
請求項７において、ａ＝−２、ｂ＝−１、ｃ＝０、ｄ＝１、ｅ＝２を満たすことを特徴とする半導体集積回路。
【請求項９】
複数の信号線と、複数の電流源を有する電流源回路とは、切り換え手段を介して接続されており、
前記切り換え手段は、複数の切り換えユニットを有し、
前記複数の信号線のいずれか一つは、前記複数の切り換えユニットのいずれか一つを介して、前記複数の電流源のいずれかと接続され、
前記切り換えユニットは、前記信号線に接続された前記電流源のうち一つを選択する機能を有することを特徴とする半導体集積回路。
【請求項１０】
複数の信号線と、複数の電流源を有する電流源回路とは、切り換え手段を介して接続されており、
前記切り換え手段は、複数の切り換えユニットを有し、
前記複数の信号線のいずれか一つは、前記複数の切り換えユニットのいずれか一つを介して、前記複数の電流源のいずれかと接続され、
前記切り換えユニットは、前記信号線に接続された前記電流源のうち一つを選択し、前記信号線と前記電流源との接続を一定期間毎に切り換える機能を有することを特徴とする半導体集積回路。
【請求項１１】
請求項１乃至１０のいずれか一において、前記電流源はトランジスタを有することを特徴とする半導体集積回路。
【請求項１２】
請求項１乃至１１のいずれか一において、前記トランジスタはポリシリコン薄膜トランジスタからなることを特徴とする半導体集積回路。
【請求項１３】
請求項１乃至１２のいずれか一において、前記電流源は複数のトランジスタを有し、前記複数のトランジスタのゲート長と前記複数のトランジスタのゲート幅との比は全て等しくなるように設けられることを特徴とする半導体集積回路。
【請求項１４】
請求項１乃至１３のいずれか一において、前記切り換えユニットは複数のアナログスイッチで構成されることを特徴とする半導体集積回路。
【請求項１５】
請求項１乃至１４のいずれか一において、前記切り換えユニットは複数のアナログスイッチで構成され、前記複数のアナログスイッチの数は、前記切り換えユニットに接続されうる信号線の数と同じであることを特徴とする半導体集積回路。
【請求項１６】
請求項１乃至１５のいずれか一に記載の半導体集積回路を備えたことを特徴とする発光装置。
【請求項１７】
請求項１６のいずれか一において、
前記電流源回路からの電流は、前記信号線を介して前記発光装置の画素部に供給されることを特徴とする半導体集積回路。
【請求項１８】
ｍ本の信号線Ｓ1、Ｓ2、・・・、Ｓmと、
ｉ個の電流源Ｃ1、Ｃ2、・・・、Ｃiとを有する電流源回路と、
ｎ個の切り換えユニットＵ1、Ｕ2、・・・、Ｕnを含む切り換え手段とを有し、
前記ｍ本の信号線のいずれか一つは、前記ｎ個の切り換えユニットのいずれか一つを介して、前記ｉ個の電流源のいずれかと接続される半導体集積回路の駆動方法であって、
前記切り換えユニットは一定期間毎に、前記接続される電流源の選択を切り換えることを特徴とする半導体集積回路の駆動方法。
【請求項１９】
ｍ本の信号線Ｓ1、Ｓ2、・・・、Ｓmと、
ｉ個の電流源Ｃ1、Ｃ2、・・・、Ｃiとを有する電流源回路と、
ｎ個の切り換えユニットＵ1、Ｕ2、・・・、Ｕnを含む切り換え手段と、
第１のラッチ回路と、前記第１のラッチ回路に接続された第２のラッチ回路と、前記第２のラッチ回路に接続されたシフトレジスタと、を有し、
前記ｍ本の信号線のいずれか一つは、前記ｎ個の切り換えユニットのいずれか一つを介して、前記ｉ個の電流源のいずれかと接続される半導体集積回路の駆動方法であって、
前記切り換えユニットは一定期間毎に、前記接続される電流源の選択を切り換え、
前記第１のラッチ回路、前記第２のラッチ回路及び前記シフトレジスタからの信号により前記選択された電流源からの前記信号線への電流入力を制御することを特徴とする半導体集積回路の駆動方法。
【請求項２０】
複数の信号線と、複数の電流源を有する電流源回路とは、切り換え手段を介して接続されており、
前記切り換え手段は、複数の切り換えユニットを有し、
前記複数の信号線のいずれか一つは、前記複数の切り換えユニットのいずれか一つを介して、前記複数の電流源のいずれかと接続される半導体集積回路の駆動方法であって、
前記切り換えユニットは一定期間毎に、前記接続される電流源の選択を切り換えることを特徴とする半導体集積回路の駆動方法。
【請求項２１】
請求項１８乃至２０のいずれか一において、前記信号線へ入力されるビデオ信号の同期タイミングに対応する単位フレーム期間内に前記一定期間があることを特徴とする半導体集積回路の駆動方法。
【請求項２２】
請求項２１において、
前記単位フレーム期間はｍ（ｍは２以上の自然数）個のサブフレーム期間ＳＦ１、ＳＦ２、…、ＳＦｍを有し、前記ｍ個のサブフレーム期間ＳＦ１、ＳＦ２、…ＳＦｍは、それぞれ書き込み期間Ｔａ１、Ｔａ２、…、Ｔａｍと表示期間Ｔｓ１、Ｔｓ２、…、Ｔｓｍとを有し、
前記表示期間内に前記一定期間が設けられることを特徴とする半導体集積回路の駆動方法。
【請求項２３】
請求項１８乃至２２のいずれか一において、前記切り換えユニットは複数のアナログスイッチで構成され、前記一定期間毎に前記アナログスイッチのいずれかを選択することを特徴とする半導体集積回路の駆動方法。
【請求項２４】
請求項１８乃至２３のいずれか一に記載の駆動方法を用いたことを特徴とする信号線駆動回路の駆動方法。